(57)【要約】【課題】ペーパーを片手で容易に切断出来、又ペーパーの断端を摘み易くする。【解決手段】板状の圧迫器１の両側の回転軸５を軸受け１６に回転自在に取着し、圧迫器前部２の重量と圧迫器後部３にゴム６を加えた重量は重さがほぼ均衡して回転軸５を支点として圧迫器１は平衡を保ち、下挟み板７は移動自在にして圧迫器後部３に固着するゴム６の直下に移動して位置する事が可能に配し、ゴム６と下挟み板７との間はペーパーが抵抗無く通過可能な間隙を有し、ロール置き８は後方が低く傾斜するペーパーロールを置く板であり、ペーパーロールは常に後壁１２に接して在り、引き出したペーパーを切断縁４に当てて持ち上げ、圧迫器前部２が上がると同時に圧迫器後部３が下がりゴム６が下挟み板７との間のペーパーを圧迫固定して緊張させ、更に持ち上げると切断縁４より切断し、切断後の断端は切断縁４の前縁に懸かって垂れ下がり次の使用で是を摘む。【選択図】        図１
2004187831.tif 000002
【特許請求の範囲】
【請求項１】
圧迫器（１）と下挟み板（７）と箱（１０）とによりなるトイレットペーパーホルダーにおいて、圧迫器（１）は板状で左右両側横に各々一つの回転軸（５）が固着し、圧迫器後部（３）の後側下面に護謨等の弾力板や布等の弾力性の有る素材よりなるゴム（６）が固着し、下挟み板（７）は板状の板で圧迫器（１）の圧迫器後部（３）のゴム（６）の直下に位置して留まる事が出来る様に移動可能に設け、箱（１０）は左右両側面に各１個ある板状の側壁（１１）と後面にある板状の後壁（１２）と底面にある板状のロール置き（８）からなる箱状の物であり、左右両側の側壁（１１）の前方には軸受けである軸受け（１６）を左右各々一個保有し、底面のロール置き（８）は左右の側壁（１１）と後壁（１２）固着した箱（１０）の底部に位置する板状の物であって後壁（１２）と接する位置から始まって最も前に位置して留まった移動可能に設けた下挟み板（７）の後縁の直上で終り、回転軸（５）は軸受け（１６）に回転自在に取着したトイレットペーパーホルダー。
【請求項２】
押さえ板（２４）と下挟み板（７）と箱（１０）とによりなるトイレットペーパーホルダーにおいて、押さえ板（２４）は左右両側に切りこみである前止め（２１）を持ち、前止め（２１）よりも前方の押さえ板前部（２５）は切りこみである前止め（２１）よりも後方の押さえ板後部（２６）よりも横幅が広く、押さえ板後部（２６）の後側下面に護謨等の弾力板や布等の弾力性を有する素材に依りなるゴム（６）が固着し、押さえ板後部（２６）の下面に突起物である下止め（２２）を有する板状の板で、箱（１０）は左右両側に各一個ある板状の側壁（１１）と後面にある板状の後（１２）と前面にある板状の前壁（１３）と底部にある板状のロール置き（８）からなる箱状の物であり、底面のロール置き（８）は左右の側壁（１１）と後壁（１２）に固着した箱（１０）の底部に位置する板状の物であって後壁（１２）と接する位置から始まって最も前に位置して留まった移動可能に設けた下挟み板（７）の後縁の直上で終り、前壁（１３）には内空が欠如した窓状の挿入口（１８）を設け、押さえ板（２４）の押さえ板後部（２６）を前壁（１３）の挿入口（１８）に挿入し、押さえ板後部（２６）の下面に有るゴム（６）の直下に下挟み板（７）が位置して留まる様に設けたトイレットペーパーホルダー
【請求項３】
請求項１の圧迫器（１）及び請求項２の押さえ板（２４）の前縁である切断縁（４）に突起物である突出部（１７）を有してなる事を特徴とする請求項１及び請求項２記載のトイレットペーパーホルダー。
【発明の詳細な説明】
【０００１】
【発明が属する技術分野】
本発明は、トイレットペーパーが片手で容易に千切る事が出来るトイレットペーパーホルダーに関するものである。
【０００２】
【従来の技術】
従来、トイレットペーパーホルダーは、トイレットペーパー（以下「ペーパー」と言う）を切断するのには両手を使わなければならず片手では切れない欠点が有り、片手で切ろうとするとロールを覆った切断蓋がペーパーにより持ち上げられ、更にロールが自由に回転する為にペーパーが前方に引き出るのでペーパーの切断線が移動して一定の位置に定まらないと同時にペーパーの緊張を得られない為に切断できなく、其の為にペーパーを両手っで掴んで引き千切るか、又はロールの上面を覆っているホルダーの切断蓋を一方の手で押さえてロールと切断蓋を固定して他方の手でトイレットペーパーを持って切断したが、是では日常頻繁に使用するに際して不自由であり、何よりも手を負傷した時や手に障害を持つ障害者にとっては両手使用が出来ないので切断不可能であり、又、従来の技術ではベーバーの断端はホルダーの中に入り込み、イレットペーパーロール（以下「ロール」と言う）に巻き付いていてペーパーの断端がトイレットペーパーホルダーの前面に垂れていない為に使用に際して容易にペーパーの断端を摘む事が出来ず、其れにはペーパーの断端を探して引き出す作業が必要であり、ロールを手指で回転させてペーパーの断端を探し出して指で摘んで引き出すという作業が必要であるという不自由があり、ペーパーの断端が摘み易い手段が講じられていない欠点があったので、それらの欠点を補う為にペーパーにミシン目を入れたり鋸歯状の切断刃を設けたりしたが、依然としてペーパーの断端はトイレットペーパーホルダーの前に垂れる手段は講じられていない。
【０００３】
【発明が解決しようとする課題】
本発明は、ペーパーを片手で容易に切断出来、又更に、切断に先立ってペーパーを引き出す際にペーパーの断端を摘み易くする手段を提供するものである。
【０００４】
【課題を解決するための手段】
本発明は上記の目的を達成する為に次ぎの手段を講じた。
本発明に於ける請求項１においては、圧迫器１と下挟み板７と箱１０とにより成る。
【０００５】
圧迫器１は板状の板で左右両側横に各々１個の回転軸５が固着し、圧迫器後部３の後側下面に護謨等の弾力板や布等の弾力性のある素材であるゴム６が固着し、回転軸５より後方の圧迫器後部３にゴム６を加えた重量と回転軸５より前方の圧迫器前部２の重量はほぼ重さが均衡し圧迫器１は回転軸５を支点としてほぼ平衡を保ち、圧迫器前部２の前縁の切断縁４は直線状でも曲線状でも屈曲線状等でもあってもよく、又圧迫器後部３の下面に固着したゴム６と同様な弾力性を有する素材を下挟み板７の上面に固着しても良いし、圧迫器後部３の下面と下挟み板７の上面の双方に固着しても良い。
【０００６】
下挟み板７は板状の板で下面に突起物である摘まみ９を固着す。
【０００７】
箱１０は左右両側面にある板状の側壁１１と後面にある板状の後壁１２と前面にある板状の前壁１３と底面にある板状のロール置き８からなる箱状の物であり、後壁１２は左右両側の側壁１１の後縁と底部にあるロール置き８の後縁とに固着し、前壁１３は左右両側の側壁１１の前縁に固着し、ロール置き８は後壁１２の下縁と左右両側の側壁１１の下縁とに固着し、側壁１１は後壁１２の側端と前壁１３の側端とロール置き８の側端に固着し、側壁１１の下方には前方より後方に下がった斜め前後に走行する溝状の溝１４を有し、又側壁１１の前方下部に軸受けである軸受け１６を有し、底面のロール置き８は左右側壁１１の下端と後壁１２の下端に固着して箱１０の底部の後半部に存し、後壁１２に接する部位に始まって前方に延び、溝１４に在って溝１４の最も前に位置した状態の下挟み板７の後縁の直上で遊離状態にて終わり、溝１４の上方に溝１４と平行な前方が高く後方が低い平板である。
【０００８】
回転軸５は軸受け１６に回転自由に取着し、圧迫器前部２の重量と圧迫器後部３にゴム６を加えた重量はほぼ均衡して圧迫器１は回転軸５を支点としてほぼ平衡を保ちシーソーの如く運動可能とし、回転軸５を軸受け１６に取着した時に圧迫器後部３の後縁のゴム６が溝１４の最も前に位置した状態の下挟み板７の前部の上方に位置して下挟み板７との間にペーパー２８が抵抗無く通過可能な間隙を有し、ペーパー２８を持ち上げて圧迫器前部２が上がって圧迫器後部３が下がった時にゴム６が下挟み板７を圧迫してゴム６と下挟み板７の間に在るペーパー２８を挟圧する様に軸受け１６を設ける。
【０００９】
下挟み板７は、下挟み板７が移動してペーパー２８の後方下面より押し上げてペーパー２８の断端が下挟み板７の前端に垂れ下がり、圧迫器後部３のゴム６の直下で下挟み板７の上面にペーパー２８が位置する事が可能に施せば如何なる方法でも良いが、ここでは其の事が可能となる次の下挟み板７の第一案と下挟み板７の第２案の内の一つを施す。
【００１０】
下挟み板７の第一案は、側壁１１の下方に前方が上がった斜め前後に走行する溝の溝１４を設け、溝１４の幅は下挟み板７の厚みより大きく下挟み板７が溝１４を抵抗無くスライド移動可能な幅でロール置き８の下方をロール置き８とほぼ平行して走行し圧迫器後部３のゴム６の直下まで達し、溝１４の中央付近で前方下方斜めに傾斜陥没した溝落ち１５を有し、溝落ち１５より後方の溝は下挟み板７の厚みより僅かに太い均一の太さであり、溝落ち１５で傾斜して落ち込んだ溝落ち１５より前方の溝は溝落ち１５より後方の溝より幅が太く、溝落ち１５より後方と溝落ち１５より前方の溝の各々の長さはほぼ等しく溝落ち１５より前後の各々の溝は挟み板７が入り込む長さを有し、又溝１４の上辺は一直線状である。
【００１１】
下挟み板７の左右両端は左右の側壁１１に存する溝１４に各々挿入して溝１４に沿って前後にスライド移動可能とし、下挟み板７が溝１４の最前部に位置して溝落ち１５より前の溝１４の前半部に留まっている場合に下挟み板７の上面と圧迫器後部３のゴム６との間にはペーパー２８が抵抗無く通過可能な間隙を有し、下挟み板７が溝１４の後半に位置する時はロール置き８の下に在ってロール置き８の前縁と下挟み板７の前縁とは同一付近として、其れ等と圧迫器後部３の後縁との間には構造物が存在しない空虚な窓状の間隙を有する手段を講じたものである。
【００１２】
下挟み板７の第二案は、ロール置き８の前縁と下挟み板７の後縁を蝶番等で開閉自在に取り付けた蝶番３２を有し、側壁１１の下方に棒溝３０を設け、棒溝３０はロール置き８のほぼ先端下方より発して圧迫器後部３のゴム６直下に終る前後に走行する溝で、止め棒２９は棒状の棒であり左右両端は左右の棒溝３０にスライド移動可能に各々挿入し、棒溝３０の幅は止め棒２９の太さより僅かに大きい止め棒２９が棒溝３０を抵抗無く移動可能な均一の太さとし、圧迫器後部３のゴム６直下の棒溝３０最前部では止め棒２９が入り込む大きさに下方に陥没する棒溝凹部３１を設け、下挟み板７がロール置き８から蝶番３２を介して下に垂れ下がっていた場合には止め棒２９は下挟み板７の後方に配し、止め棒２９が棒溝３０を前方に移動するに従って下挟み板７を前方上部に押し上げ、止め棒２９が棒溝凹部３１に在る場合には下挟み板７の上面と圧迫器１の圧迫器後部３のゴム６との間にトイレットペーパー２８が抵抗無く通過可能な間隙を有する位置に棒溝凹部３１を配する様に棒溝３０を設ける手段を講じた物である。
【００１３】
請求項２に於いては、押さえ板２４は板状で押さえ板後部２６の後側下面に護謨等の弾力板や布等の弾力性のある素材であるゴム６が固着し、左右両側に切りこみである前止め２１を持ち、前止め２１よりも前方の押さえ板前部２５は前止め２１よりも後方の押さえ板後部２６よりも横幅が広く、押さえ板後部２６の下面には下方に突出する下止め２２を有して下止め２２の最前縁を下止め前縁２３と言い、押さえ板前部２５の重量と押さえ板後部２６に下止め２２及びゴム６を加えた重量の和はほぼ均衡し、箱１０は左右両側面にある板状の側壁１１と後面にある板状の後壁１２と前面にある板状の前壁１３と底面にある板状のロール置き８からなる箱状の物である。
【００１４】
後壁１２は左右両側の側壁１１の後縁とロール置き８の後縁に固着し、前壁１３は左右の側壁１１の前縁に固着し、ロール置き８は後壁１２の下縁と左右の側壁１１の下縁とに固着し、側壁１１は後壁１２の左右両端と前壁１３の左右両端とロール置き８の左右両端に固着し、前壁１３には内部は空虚な切り抜きである窓状の挿入口１８を設け、挿入口１８の左右に位置する前壁１３を前受け１９と言い、挿入口１８の下の前壁１３を下受け２０と言う。
【００１５】
押さえ板後部２６と下止め２２を挿入口１８に前方より挿入し、其の時押さえ板２４の前止め２１は前壁１３の前受け１９に当たる為に押さえ板２４はそれより後進しないし、又其の位置で押さえ板２４から手を離すと押さえ板２４は重力により下方に下がり落ちて下受け２０の上縁にて止まり、同時に下止め２２が下受け２０の内側に入り込み、下止め前縁２３が下受け２０の内側に引っ掛かる為に押さえ板２４は前方に進む事が出来なく、依って押さえ板２４は前後に移動出来ずに前壁１３の下受け２０の上に乗るように位置し、押さえ板２４は下受け２０の上縁を支点としてシーソーの如く自由に運動可能であり、押さえ板前部２５の重量と押さえ板後部２６に下止め２２及びゴム６を加えた重量の和がほぼ均衡しているので下受け２０の上縁を支点として押さえ板２４はぼ平衡を保ち、又、押さえ板後部２６の後縁のゴム６と下挟み板７が溝１４の最も前の位置に有る状態の下挟み板７の上面との間にはペーパー２８が無抵抗に前進移動可能な間隙を保有する様に窓の位置を配す。
【００１６】
箱１０の側壁１１は請求項１と同様の溝１４又は棒溝３０を同様の位置に有し、箱１０のロール置き８も請求項１と同様であり、下挟み板７も請求項１と同様であって下挟み板７が溝１４に挿入されているのも請求項１の第一案と同様で、下挟み板７がロール置き８に蝶番３２により開閉自在であり止め棒２９の両端が棒溝３０に挿入されているのも請求項１の第ニ案と同様である上記の手段を講じたものである。
【００１７】
請求項３に於いては、請求項１の圧迫器１の圧迫器前部２の切断縁４及び請求項２の押さえ板２４の押さえ板前部２５の切断縁４に一つ又は複数個の突起物である突出部１７を設けるのであるが、一つの突出部１７を設ける場合は請求項１においては圧迫板前部２の切断縁４の途中、請求項２においては押さえ板前部２５の切断縁４の途中に突出部１７は位置し、又、切断縁４に２個の突出部１７を設ける場合には請求項１に於いては圧迫板前部２の切断縁４の左右両端付近に設け又請求項２に於いては押さえ板前部２５の切断縁４の左右両端付近に突出部１７を設けた請求項１及び請求項２の手段を講じたものである。
【００１８】
【発明の実施の形態】
両手を使用せずに片手でもってペーパーを確実に切断するという目的を、最小の部品点数と簡素な構造でもつて耐久性を損なわずに実現した。
【００１９】
【実施例】
以下、本発明の実施例を図面に従って詳細に説明する。
先ず請求項１の実施例を説明する。
【００２０】
図１〜図５と図と図１４〜図２２に示すものは請求項１の下挟み板７の第一案の実施例である。
【００２１】
図１，図２の如く圧迫器１に固着した突出した棒状の左右の回転軸５を左右両側の側壁１１の前方に設けた軸受け１６に回転自在に取着し、この時図４と図５に示した圧迫器１５は回転軸５より前の圧迫器前部２の重量と回転軸５より後ろの圧迫器後部３にゴム６を加えた重量が均衡が取れている為圧迫器１は回転軸５を支点として平衡を保ち、下挟み板７の左右両端は図２，図３に示す如く左右両側の側壁１１に設けた溝１４に各々挿入して前後にスライド移動可能とし、圧迫器後部３下面に固着したゴム６と溝１４の最前部に移動して留まった状態の下挟み板７の前部上面との間にはペーパー２８が抵抗無く通過可能な間隔を図１の如く保有する様に回転軸５を受ける軸受け１６を側壁１１に設ける。
【００２２】
図１４〜図２２は請求項１の下挟み板７の第一案の使用過程を示すイラストであって、図１４はロール２７を本発明装置に装填する際の実施例であり、下挟み板７を溝１４の後壁１２寄りの溝１４最後部そしてロール置き８の下である本装置の底部後半に位置し、依って本装置の底部の前半分の下請け板７の前縁より前方には如何なる構造物も無く空虚であり開放状態の窓状の間隙であり、ロール２７を手に持ちペーパー２８の断端を其の開放された間隙に垂らす様に挿入し、この時圧迫器１は圧迫器前部２の重量と圧迫器後部３にゴム６を加えた重量のバランスがとれているのでほぼ水平に近く釣り合って静止している。
【００２３】
図１５は図１４に続く実施例であり、ロール２７をロール置き８の上に置き、下挟み板７はロール置き８の直下に在り、ペーパー２８は下挟み板７の前縁に開放された窓状の間隙に垂れて、圧迫器１は平衡を保っている。
【００２４】
図１６は図１５に続く実施例であり、下挟み板７を摘まみ９に指を掛けて溝１４に沿って前方に進ませ、下挟み板７が前進するに従い底の窓状の間隙は狭められて下挟み板７の前縁に垂れていたペーパー２８は下挟み板７の前縁により下方より掬い上げられる様に前進する。
【００２５】
図１７は図１６に続く実施例であり、下挟み板７を溝１４の最先端迄進め摘まみ９から指を離し、下挟み板７は溝１４の前半の太い溝の底部に落ちて位置し、下挟み板７の後縁は段差のある溝落ち１５に引っ掛かって下挟み板７は溝１４を滑り落ちて後退する事無く溝１４の前半部に停止して位置をここに保ち、平衡を保った圧迫器後部３のゴム６と下挟み板７との間には間隙を有し、ペーパー２８はこの間隙の下挟み板７の上面に在り、下挟み板７にすくい上げられたペーパー２８の断端は下挟み板７の前縁に垂れ下がっており、この状態でペーパーの使用迄待機する。
【００２６】
図１８は図１７に続く実施例であり、下挟み板７の前縁に垂れ下がったペーパー２８の端を片方の手の指で摘まみペーパー２８を前方に引き出し、平衡を保った圧迫器後部３のゴム６と下挟み板７には間隙が有るのでペーパー２８は抵抗無く前方に進み引き出され、ロール２７はロール置き８が後傾しているのでロール置き８の後部の後壁１２に接して転がりロール置き８の最後位の後壁１２に接して位置する。
【００２７】
図１９は図１８に続く実施例であり、ペーパー２８を切断する作業であるり、手指で摘んで引き出したペーパー２８を上に引き上げ、持ち上げられたペーパー２８は圧迫器１の圧迫器前部２を下から押して持ち上げ、圧迫器前部２が上がるので軸受け１６に回転自由に取り付けられた回転軸５を支点として圧迫器後部３はシーソーの如く下方に下がり圧迫器後部３のゴム６は下挟み板７に当たり、更にペーパー２８を上方に持ち上げると圧迫器前部２に上向きの強い力が掛かり、それに伴い回転軸５を支点として圧迫器後部３に下向きの強い力が加わり、同時に圧迫器後部３に固着したゴム６が直下に在る下挟み板７を強く圧し、圧迫器後部３のゴム６と下挟み板７の間に存したペーパー２８はゴム６に依り下挟み板７に強圧されて前進する事が出来なくなりペーパー２８は固定され、更にゴム６に依り圧迫固定されたペーパー２８は前方に引っ張られる力により緊張する。
【００２８】
図２０は図１９に続く実施例であり、  圧迫器後部３の後側のゴム６が下挟み板７に当たる為に圧迫板後部（３）は其れより下がる事が出来ずに下挟み板７に当たった位置に固定され、依って圧迫器１の延長線上にある圧迫器前部２も位置が固定され、圧迫器前部２が固定されるので切断縁４も固定されて一定位置を保ち、既述した如く固定さたペーパー２８に固定された切断縁４が当たる為にペーパー２８の切断線が一定の線に固定され、更に緊張したペーパー２８が引き上げられて緊張が一層増すとペーパー２８は現状を維持出来ず耐え切れずに切断縁４にて切断され離断する。
【００２９】
図２１は図２０に続く実施例であり、切断が完了して断端のペーパーが離断するとロール２７側の残ったペーパー２８の断端は、圧迫器前部２の切断縁４から下挟み板７の最前縁迄の長さのペーパー２８を下方に落下して下挟み板７の前縁に引っ掛かって垂れ下がり、又ペーパー２８の持ち上げる力が消失する為に圧迫器前部２が下がり同時に圧迫器後部３は上方に上がって圧迫器１は平衡を保ち、ゴム６と下挟み板７との間には間隙を成し、この状態で次回のペーパーの使用まで待機する。
【００３０】
図２２はペーパー２８の使用が繰り返されてロール２７が小さくなった状態を示し、ロール置き８は後方が低く下がって傾斜している為、ロール２７はロール置き８上面を後方に転がり、ロール置き８の後部で後壁１２に当たった位置に留まり、依って使用によって変化する如何なる大きさのロール２７であろうとロールは常時ロール置き８の後方の後壁１２に接した位置に在るを示す。
【００３１】
図６と図７と図２３〜図３０は請求項１の下挟み板７の第ニ案の実施例であり、請求項１の下挟み板７の第一案の実施例のものと同一の部分には同一の符号を付してある。
【００３２】
図６に於いてロール置き８の前縁と下挟み板７の後縁は蝶番３２によって開閉自在に連結し、下挟み板７の下方に止め棒２９を配し、止め棒２９の左右両端は図７に示す如く両側の側壁１１の棒溝３０に挿入し、止め棒２９は両側の棒溝３０に従ってスライド移動自在にし、図７に示すように棒溝３０の最前部は下方に陥没した棒溝凹部３１を有し、止め棒２９が棒溝３０の最前端に至ると止め棒２９は棒溝凹部３１に落ち込み、止め棒２９は棒溝凹部３１内に位置して留まり、止め棒２９が後方よに棒溝３０を前進するに従い下挟み板７は蝶番３２を中心として回転様に前部が押し上げられて棒溝凹部３１の位置に在る止め棒２９の上に乗った状態で位置して留まり、この時圧迫器後部３のゴム６と下挟み板７との間に間隙を有して位置する。
【００３３】
図２３〜図３０は請求項１の下挟み板７の第ニ案の使用過程を示すイラストであって、図２３はロール２７を本発明装置に装填する際の実施例であり、止め棒２９は棒溝３０の最後部で下挟み板７の後側に在り、下挟み板７は蝶番３２に連結されてロール置き８前縁より垂れ下がり、ロール置き８の前縁と圧迫器１の圧迫器後部３のゴム６との間には窓状の空間を形成した底部前半は如何なる構造物も無く空虚な開放状態であり、この空虚な窓の間隙に手に持ったロール２７の断端を垂らして挿入し、この時圧迫器１は軸受け１６を支点として平衡を保っている。
【００３４】
図２４は図２３に続く実施例であり、ロール２７をロール置き８の上に置き、下挟み板７はロール置き８の前縁より垂れ下がり、ペーパー２８は開放された状態の窓状の空間の中の下挟み板７の前面に垂れており、圧迫器１は平衡を保っている。
【００３５】
図２５は図２４に続く実施例であり、止め棒２９を棒溝３０の中を少し前進させて下挟み板７を前方に少し押し上げ、ペーパー２８は下挟み板７の上前面に在って少し押し上げられた状態で下挟み板７の前縁に垂れ下がっている。
【００３６】
図２６は図２５に続く実施例であり、止め棒２９を棒溝３０の最前端に進め棒溝凹部３１の中に落し、下挟み板７の前部は止め棒２９の上に乗り圧迫器後部３のゴム６の下方に位置してゴム６との間にペーパー２８が抵抗無く前進可能な間隙を保有し、ペーパー２８の断端は下挟み板７の前縁に垂れ下がっている。
【００３７】
図２７は図２６に続く実施例であり、下挟み板７の前縁に垂れ下がったペーパー２８を片方の手の指で摘んで前方に引き出す。
【００３８】
図２８は図２７に続く実施例であり、ペーパー２８を切断する操作であり、引き出したペーパー２８を上方に引き上げて圧迫器前部２を持ち上げ、上がった圧迫器前部２と連なる圧迫器後部３は連動して下がり圧迫器後部３の後縁は下挟み板７に当たり、圧迫器後部３のゴム６と下挟み板７との間には間隙は無くなりゴム６と下挟み板７の間に在ったペーパー２８はゴム６と下挟み板７に挟圧されてペーパー２８は前進不可能となり緊張し、圧迫器後部３の後縁が下挟み板７に当たって位置を固定されるので圧迫器前部２も固定され、依って圧迫器前部２の切断縁４も固定される。
【００３９】
図２９は図２８に続く実施例であり、固定された圧迫器前部２の切断縁４に緊張したペーパー２８が当たり、依ってペーパー２８の切断線が固定され、緊張したトイレットペーパー２８を更に上方に持ち上げるとペーパー２８は現状を維持出来ずに切断されてペーパー２８は離断する。
【００４０】
図３０は図２９に続く実施例であり、ペーパー２８の切断が終ると残ったペーパー２８の断端は下挟み板７の前縁に垂れ下がり、圧迫器１は平衡に復帰してゴム６と下挟み板７の上面との間に間隙を成し、この状態で次回の使用機会を待つ。
【００４１】
請求項２の実施例は、前述した請求項１の実施例中の請求項１の圧迫器１を請求項２の押さえ板２４に替え、請求項１の圧迫器前部２を請求項２の押さえ板前部２５に替え、請求項１の圧迫器後部３を請求項２の押さえ板後部２６に替えた請求項１の実施例と同様である。
【００４２】
請求項３の実施例は、請求項１の実施例と請求項２の実施例に、請求項３の突出部１７を備えた圧迫器１又は押さえ板２４を使用した請求項１及び請求項２の実施例と同様であり、緊張したトイレットペーパー２８が突出部１７に強圧されると突出部１７はペーパー２８を突き破り、突出部１７に依り突き破られたトイレットペーパー２８の位置から始まって切断縁４に沿って左又は右に順次ペーパー２８は切れていく。
【００４３】
【発明の効果】
以上説明したように本発明のトイレットぺーパーホルダーは、簡素な構造にもかかわらずペーパーを片手で容易に切断出来、又ペーパーの断端が常にトイレットペーパーホルダーの前方の位置に垂れ下がっているので使用に際して手指で摘み易く引き出し易いという利点がある。
【図面の簡単な説明】
【図１】本発明の請求項１の第一案の側壁１１を切欠した斜視図である。
【図２】本発明の請求項１の第一案にロール２７を装填した斜視図である。
【図３】本発明の請求項１の第一案の図２の側壁１１の溝１４に下挟み板７の両端を挿入しロール２７を除外した時の図２のイ−イに沿う断面図である。
【図４】本発明の請求項１の圧迫器１の表側平面図である。
【図５】本発明の請求項１の圧迫器１の図４のロ−ロに沿う断面図である。
【図６】本発明の請求項１の第ニ案の側壁１１を切欠した斜視図である。
【図７】本発明の請求項１の第ニ案の側面図である。
【図８】本発明の請求項２の第一案の押さえ板２４を除いた正面図である。
【図９】本発明の請求項２の押さえ板２４の図１０のハ−ハに沿った断面図である。
【図１０】本発明の請求項２の挿入口１８に押さえ板２４を挿入して装着し、押さえ板２４の直上で図８のニ−ニに沿う断面図と押さえ板２４の表面平面図である。
【図１１】本発明の請求項２の第一案の断面図である。
【図１２】本発明の請求項３の、両端に各一個の突出部１７を設けた圧迫器１の表面平面図である。
【図１３】本発明の請求項３の、一個の突出部１７を有する圧迫器１の表面平面図である。
【図１４】本発明の請求項１の第一案の使用経過に従って過程をイラストに依り示した実施図である。
【図１５】本発明の請求項１の第一案の使用経過に従って過程をイラストに依り示した実施図である。
【図１６】本発明の請求項１の第一案の使用経過に従って過程をイラストに依り示した実施図である。
【図１７】本発明の請求項１の第一案の使用経過に従って過程をイラストに依り示した実施図である。
【図１８】本発明の請求項１の第一案の使用経過に従って過程をイラストに依り示した実施図である。
【図１９】本発明の請求項１の第一案の使用経過に従って過程をイラストに依り示した実施図である。
【図２０】本発明の請求項１の第一案の使用経過に従って過程をイラストに依り示した実施図である。
【図２１】本発明の請求項１の第一案の使用経過に従って過程をイラストに依り示した実施図である。
【図２２】本発明の請求項１の第一案の使用経過に従って過程をイラストに依り示した実施図である。
【図２３】本発明の請求項１の第ニ案の使用経過に従って過程をイラストに依り示した実施図である。
【図２４】本発明の請求項１の第ニ案の使用経過に従って過程をイラストに依り示した実施図である。
【図２５】本発明の請求項１の第ニ案の使用経過に従って過程をイラストに依り示した実施図である。
【図２６】本発明の請求項１の第ニ案の使用経過に従って過程をイラストに依り示した実施図である。
【図２７】本発明の請求項１の第ニ案の使用経過に従って過程をイラストに依り示した実施図である。
【図２８】本発明の請求項１の第ニ案の使用経過に従って過程をイラストに依り示した実施図である。
【図２９】本発明の請求項１の第ニ案の使用経過に従って過程をイラストに依り示した実施図である。
【図３０】本発明の請求項１の第ニ案の使用経過に従って過程をイラストに依り示した実施図である。
【符号の説明】
１    圧迫器
２    圧迫器前部
３    圧迫器後部
４    切断縁
５    回転軸
６  ゴム
７    下挟み板
８    ロール置き
９    摘まみ
１０    箱
１１    側壁
１２    後壁
１３    前壁
１４    溝
１５    溝落ち
１６    軸受け
１７    突出部
１８    挿入口
１９    前受け
２０    下受け
２１    前止め
２２    下止め
２３    下止め前縁
２４    押さえ板
２５    押さえ板前部
２６    押さえ板後部
２７    トイレットペーパーロール
２８    トイレットペーパー
２９    止め棒
３０    棒溝
３１    棒溝凹部
３２    蝶番
【図１】
2004187831.tif 000003
【図２】
2004187831.tif 000004
【図３】
2004187831.tif 000005
【図４】
2004187831.tif 000006
【図５】
2004187831.tif 000007
【図６】
2004187831.tif 000008
【図７】
2004187831.tif 000009
【図８】
2004187831.tif 000010
【図９】
2004187831.tif 000011
【図１０】
2004187831.tif 000012
【図１１】
2004187831.tif 000013
【図１２】
2004187831.tif 000014
【図１３】
2004187831.tif 000015
【図１４】
2004187831.tif 000016
【図１５】
2004187831.tif 000017
【図１６】
2004187831.tif 000018
【図１７】
2004187831.tif 000019
【図１８】
2004187831.tif 000020
【図１９】
2004187831.tif 000021
【図２０】
2004187831.tif 000022
【図２１】
2004187831.tif 000023
【図２２】
2004187831.tif 000024
【図２３】
2004187831.tif 000025
【図２４】
2004187831.tif 000026
【図２５】
2004187831.tif 000027
【図２６】
2004187831.tif 000028
【図２７】
2004187831.tif 000029
【図２８】
2004187831.tif 000030
【図２９】
2004187831.tif 000031
【図３０】
2004187831.tif 000032